(57)【特許請求の範囲】
【請求項１】
間隔を置いて対向配置される第１および第２のホルダ（３５，３７）と、
前記第１のホルダ（３５）の前記第２のホルダ（３７）側に配置され前記第２のホルダ（３７）側に向けて付勢されるパッド（３９）と、
前記第１のホルダ（３５）の前記第２のホルダ（３７）側に配置されるカムドライバ（４５）と、
前記第２のホルダ（３７）の軸長方向の両側に配置される保持部材（４７）と、
前記保持部材（４７）の間に直列に配置され前記カムドライバ（４５）により対向面側に向けて移動される一対のカムスライド（４９）と、
前記一対のカムスライド（４９）を前記対向面と反対側に向けて付勢するカムスライド付勢手段（５３，５５）と、
前記第１のホルダ（３５）における前記保持部材（４７）の内側となる位置に配置される一対のストッパーピン（５７）と、
前記第１のホルダ（３５）に固定され前記ストッパーピン（５７）を前記第２のホルダ（３７）側に向けて移動自在に案内する案内部材（５９）と、
前記ストッパーピン（５９）を前記第２のホルダ（３７）側に向けて付勢するストッパーピン付勢手段（６１）と、
前記ストッパーピン（５７）の前記案内部材（５９）からの突出長を規制する規制手段（６３）とを有し、
前記ストッパーピン（５７）は、前記第１のホルダ（３５）に、前記第１のホルダ（３５）の下死点位置において前記保持部材（４７）と前記カムスライド（４９）との間に形成される間隙に挿入される位置に配置され、
前記ストッパーピン（５７）の前記突出長は、加工終了後に前記第１のホルダ（３５）と前記第２のホルダ（３７）とが充分に離間した後に、前記間隙から前記ストッパーピン（５７）が逸脱する長さとされている
ことを特徴とする金型装置。
【請求項２】
請求項１記載の金型装置において、
前記規制手段（６３）は、前記ストッパーピン（５７）の側面に形成される切欠溝（５７ａ）と、前記案内部材（５９）に固定され前記切欠溝（５７ａ）内に先端を位置される規制部材（６５）とからなることを特徴とする金型装置。
【発明の詳細な説明】
【０００１】
【発明の属する技術分野】
本発明は、金型装置に係わり、特に、一対のカムスライドを直列に配置してなる金型装置に関する。
【０００２】
【従来の技術】
従来、コンデンサ等の熱交換器では、例えば、特開昭６３−２７９０９４号公報に開示されるように、ヘッダーパイプ内に仕切りを設けて、流体流路を変更することが行なわれている。
そして、近時、この種の仕切り付熱交換器用ヘッダーパイプを一枚の板材から製造することが試みられている。
【０００３】
図６は、本出願人が、先に、特願平７−６８０８４号として出願した熱交換器用ヘッダーパイプを示すもので、この熱交換器用ヘッダーパイプでは、アルミニウムからなる板材１１に並列に一対の半割り筒状部１１ａ，１１ｂが形成され、これ等の半割り筒状部１１ａ，１１ｂが対向配置されている。
また、一対の半割り筒状部１１ａ，１１ｂには、それぞれ半割り仕切部１３ａ，１３ｂが形成され、これ等の半割り仕切部１３ａ，１３ｂが対向配置されディバイド１５が形成されている。
【０００４】
そして、一対の半割り筒状部１１ａ，１１ｂの両端は、蓋部材１７により閉塞され、また、一方の半割り筒状部１１ｂには、チューブ差し込み孔１１ｃが形成されている。
この熱交換器用ヘッダーパイプでは、一対の半割り筒状部１１ａ，１１ｂの両端に蓋部材１７を被嵌し、一対の半割り仕切部１３ａ，１３ｂの対向部を当接させた状態で、一対の半割り筒状部１１ａ，１１ｂの開口縁および一対の半割り仕切部１３ａ，１３ｂの対向部が相互にろう付けされる。
【０００５】
そして、上述した熱交換器用ヘッダーパイプでは、一対の半割り仕切部１３ａ，１３ｂは、図７の（ａ）に示すように、既にＵ字状の仕切り成形部１３ｃおよびチューブ差し込み孔用のエンボス１３ｄが形成された板材１１を、図８に示すように、金型装置のパッド１９と一対のカムスライド２１との間に配置するとともに、仕切り成形部１３ｃを一対のカムスライド２１の間に挟持し、カムスライド２１を対向する方向に移動し、仕切り成形部１３ｃを押し潰すことにより、図７の（ｂ）に示したような形状に形成される。
【０００６】
【発明が解決しようとする課題】
しかしながら、このような従来の金型装置では、図８に示したように、板材１１に形成されるエンボス１３ｄが、カムスライド２１のパッド１９側に形成される凹部２１ａに嵌合されているため、一対の半割り仕切部１３ａ，１３ｂの成形後に、一対のカムスライド２１をそのまま反対方向に移動することができず、例えば、図９に示すように、下死点からパッド１９を上方に移動し、板材１１をプッシャーにより上方に移動した状態で、一対のカムスライド２１を対向面と反対側に移動する機構が要望される。
【０００７】
本発明は、かかる従来の問題を解決するためになされたもので、下死点からのパッドの移動後に、一対のカムスライドを対向面と反対側に確実に移動することができる簡易な構造の金型装置を提供することを目的とする。
【０００８】
【課題を解決するための手段】
請求項１の金型装置は、間隔を置いて対向配置される第１および第２のホルダと、前記第１のホルダの前記第２のホルダ側に配置され前記第２のホルダ側に向けて付勢されるパッドと、前記第１のホルダの前記第２のホルダ側に配置されるカムドライバと、前記第２のホルダの軸長方向の両側に配置される保持部材と、前記保持部材の間に直列に配置され前記カムドライバにより対向面側に向けて移動される一対のカムスライドと、前記一対のカムスライドを前記対向面と反対側に向けて付勢するカムスライド付勢手段と、前記第１のホルダにおける前記保持部材の内側となる位置に配置される一対のストッパーピンと、前記第１のホルダに固定され前記ストッパーピンを前記第２のホルダ側に向けて移動自在に案内する案内部材と、前記ストッパーピンを前記第２のホルダ側に向けて付勢するストッパーピン付勢手段と、前記ストッパーピンの前記案内部材からの突出長を規制する規制手段とを有し、前記ストッパーピンは、前記第１のホルダに、前記第１のホルダの下死点位置において前記保持部材と前記カムスライドとの間に形成される間隙に挿入される位置に配置され、前記ストッパーピンの前記突出長は、加工終了後に前記第１のホルダと前記第２のホルダとが充分に離間した後に、前記間隙から前記ストッパーピンが逸脱する長さとされていることを特徴とする。
【０００９】
請求項２の金型装置は、請求項１記載の金型装置において、前記規制手段は、前記ストッパーピンの側面に形成される切欠溝と、前記案内部材に固定され前記切欠溝内に先端を位置される規制部材とからなることを特徴とする。
【００１０】
（作用）
請求項１の金型装置では、第１のホルダが第２のホルダ側に相対移動されると、第１のホルダに固定されるカムドライバにより、保持部材の間に直列に配置される一対のカムスライドが対向面側に向けて移動され、保持部材とカムスライドとの間に間隙が形成され、下死点位置において前記間隙に、案内部材により案内されストッパーピン付勢手段により第２のホルダ側に付勢されるストッパーピンが挿入されこの状態で加工が終了する。
【００１１】
そして、第１のホルダが第２のホルダと反対側に相対移動されると、第１のホルダと第２のホルダとが所定の距離離間するまでは、ストッパーピンが、保持部材とカムスライドとの間の間隙に位置され、第１のホルダの移動によりパッドがカムスライドから充分に離間した状態で、前記間隙からストッパーピンが逸脱し、カムスライド付勢手段により一対のカムスライドが対向面と反対側に向けて移動される。
【００１２】
請求項２の金型装置では、案内部材に固定されストッパーピンの切欠溝内に先端を位置される規制部材により、ストッパーピンのストロークが規制される。
【００１３】
【発明の実施の形態】
以下、本発明の詳細を図面に示す実施形態について説明する。
【００１４】
図１は、本発明の金型装置の一実施形態を示しており、この金型装置では、図２に示すように、被加工物が熱交換器のヘッダーパイプとされ、アルミニウム製の板材３１に半割り筒状部３１ａ，３１ｂを連続して形成した状態で、これ等の半割り筒状部３１ａ，３１ｂに、半割り仕切部３３ａ，３３ｂが形成される。
図１および図２において符号３５，３７は、上下に間隔を置いて対向配置される第１のホルダ３５および第２のホルダ３７を示している。
【００１５】
第１のホルダ３５の第２のホルダ３７側には、パッド３９が配置されている。このパッド３９は、ストリッパーボルト４１により支持され、パッドスプリング４３により、第２のホルダ３７側に向けて付勢されている。
第１のホルダ３５の第２のホルダ３７側には、水平方向に間隔を置いてカムドライバ４５が配置されている。
【００１６】
カムドライバ４５の先端には、三角状のカム面４５ａが形成されている。
一方、第２のホルダ３７の軸長方向の両側には、保持部材４７が立設されている。
保持部材４７の間には、一対のカムスライド４９が直列に配置されている。
このカムスライド４９の両側には、図２に示すように、カムドライバ４５が挿入されるカム溝４９ａが形成されている。
【００１７】
そして、カムドライバ４５の挿入により、一対のカムスライド４９が、対向面側に向けて移動される。
一対のカムスライド４９は、第２のホルダ３７に固定されるプレート５１に沿って軸長方向に移動自在とされている。
また、保持部材４７には、付勢ピン５３が挿通され、先端がカムスライド４９に螺合されている。
【００１８】
付勢ピン５３の頭部と保持部材４７との間には、コイルスプリング５５が配置され、カムスライド４９が、カムスライド４９の対向面と反対側に向けて付勢されている。
【００１９】
そして、この実施形態では、第１のホルダ３５における保持部材４７の内側となる位置に一対のストッパーピン５７が配置されている。
このストッパーピン５７は、第１のホルダ３５に固定される筒状の案内部材５９内に、移動自在に収容されている。
そして、ストッパーピン５７と第２のホルダ３７との間にコイルスプリング６１が配置され、ストッパーピン５７が第２のホルダ３７側に向けて付勢されている。
【００２０】
ストッパーピン５７は、規制手段６３により、そのストロークが制限されている。
すなわち、ストッパーピン５７の側面には切欠溝５７ａが形成され、この切欠溝５７ａに、案内部材５９に螺合されるボルト６５の先端が位置されている。
上述した金型装置では、図１に示した状態から、第１のホルダ３５が第２のホルダ３７側に移動されると、第１のホルダ３５に固定されるカムドライバ４５により、保持部材４７の間に直列に配置される一対のカムスライド４９が対向面側に向けて移動され、加工開始時には、図３に示すように、保持部材４７とカムスライド４９との間に間隙Ｌ１が形成され、ストッパーピン５７がカムスライド４９の上面に当接されている。
【００２１】
この状態から、さらに、第１のホルダ３５を第２のホルダ３７側に移動し加工を行うと、保持部材４７とカムスライド４９との間の間隙Ｌ１が大きくなり、下死点位置においては、図４に示すように、ストッパーピン５７が、間隙Ｌに挿入されこの状態で加工が終了する。
そして、第１のホルダ３５が第２のホルダ３７と反対側に移動されると、図５に示すように、第１のホルダ３５と第２のホルダ３７とが所定の距離離間するまでは、ストッパーピン５７が、保持部材４７とカムスライド４９との間の間隙Ｌに位置され、第１のホルダ３５の移動によりパッド３９がカムスライド４９から充分に離間した状態で、間隙Ｌからストッパーピン５７が逸脱し、コイルスプリング５５により一対のカムスライド４９が対向面と反対側に向けて移動される。
【００２２】
以上のように構成された金型装置では、下死点位置において、保持部材４７とカムスライド４９との間に形成される間隙Ｌにストッパーピン５７を挿入し、加工終了後に、第１のホルダ３５と第２のホルダ３７とが充分離間した後に、間隙Ｌからストッパーピン５７を逸脱するようにしたので、下死点からのパッド３９の移動後に、一対のカムスライド４９を対向面と反対側に確実に移動することができる。
【００２３】
また、第１のホルダ３５側に、ストッパーピン５７と、このストッパーピン５７を案内する案内部材５９と、ストッパーピン５７を付勢するコイルスプリング６１と、ストッパーピン５７の案内部材５９からの突出長を規制する規制手段６３とを設けることにより、下死点からのパッド３９の移動後に、一対のカムスライド４９を対向面と反対側に確実に移動することが可能になるため、金型構造が複雑になることがなく簡易な構造の金型装置を提供することができる。
【００２４】
また、上述した金型装置では、案内部材５９に固定されストッパーピン５７の切欠溝５７ａ内に先端を位置されるボルト６５によりストッパーピン５７のストロークを規制するようにしたので、下死点位置において、保持部材４７とカムスライド４９との間に形成される間隙Ｌにストッパーピン５７を確実に挿入し、加工終了後に、第１のホルダ３５と第２のホルダ３７とが充分離間した後に、間隙Ｌからストッパーピン５７を確実に逸脱することができる。
【００２５】
なお、上述した実施形態では、第１のホルダ３５を第２のホルダ３７の上方に配置した例について説明したが、本発明は、かかる実施形態に限定されるものではなく、例えば、第１のホルダ３５を第２のホルダ３７の下方に配置しても良い。
また、上述した実施形態では、ヘッダーパイプの半割り仕切部３３ａ，３３ｂの形成に本発明を適用した例について説明したが、本発明は、かかる実施形態に限定されるものではなく、一対のカムスライドを用いての加工に広く適用することができる。
【００２６】
【発明の効果】
以上述べたように、請求項１の金型装置では、下死点位置において、保持部材とカムスライドとの間に形成される間隙にストッパーピンを挿入し、加工終了後に、第１のホルダと第２のホルダとが充分離間した後に、間隙からストッパーピンを逸脱するようにしたので、下死点からのパッドの移動後に、一対のカムスライドを対向面と反対側に確実に移動することができる。
【００２７】
また、第１のホルダ側に、ストッパーピンと、このストッパーピンを案内する案内部材と、ストッパーピンを付勢するストッパーピン付勢手段と、ストッパーピンの案内部材からの突出長を規制する規制手段とを設けることにより、下死点からのパッドの移動後に、一対のカムスライドを対向面と反対側に確実に移動することが可能になるため、金型構造が複雑になることがなく簡易な構造の金型装置を提供することができる。
【００２８】
請求項２の金型装置では、案内部材に固定されストッパーピンの切欠溝内に先端を位置される規制部材によりストッパーピンのストロークを規制するようにしたので、下死点位置において、保持部材とカムスライドとの間に形成される間隙にストッパーピンを確実に挿入し、加工終了後に、第１のホルダと第２のホルダとが充分離間した後に、間隙からストッパーピンを確実に逸脱することができる。
【図面の簡単な説明】
【図１】本発明の金型装置の一実施形態を示す縦断面図である。
【図２】図１の第２のホルダ側を示す上面図である。
【図３】図１の金型装置の加工開始時の状態を示す縦断面図である。
【図４】図１の金型装置の加工完了時の状態を示す縦断面図である。
【図５】図１の金型装置の加工完了後の状態を示す縦断面図である。
【図６】仕切り部が一体形成されるヘッダーパイプを示す側面図である。
【図７】ヘッダーパイプの仕切り部の加工前後の状態を示す断面図である。
【図８】ヘッダーパイプの仕切り部の加工後の状態を示す断面図である。
【図９】パッドとカムスライドとを離間した状態を示す断面図である。
【符号の説明】
３５  第１のホルダ
３７  第２のホルダ
３９  パッド
４５  カムドライバ
４７  保持部材
４９  カムスライド
５７  ストッパーピン
５７ａ  切欠溝
５９  案内部材
６１  コイルスプリング
６３  規制手段
６５  ボルト
【図１】
0003667860.tif 000002
【図２】
0003667860.tif 000003
【図３】
0003667860.tif 000004
【図４】
0003667860.tif 000005
【図５】
0003667860.tif 000006
【図６】
0003667860.tif 000007
【図７】
0003667860.tif 000008
【図８】
0003667860.tif 000009
【図９】
0003667860.tif 000010